(57)【要約】【課題】庫内に収容された食品に負イオンを減少させることなく効率よく照射して、微生物が繁殖するのを効果的に防止できるようにした冷蔵庫を提供する。【解決手段】断熱材４を充填してなる断熱箱体５の内箱３は、静電防止剤を混入した合成樹脂により形成することによって静電気の発生が防止されると共に、前記断熱箱体５をなす外箱２の背面下部に設けられた機械室１から導出するアース端子２４の基端部に接続部ｃにより接続されるように構成した。【選択図】　図３
2004069218.tif 000002
【特許請求の範囲】
【請求項１】
背面下部に機械室を備えた外箱と、同外箱との間に所定の隙間を有して内設された内箱との間に断熱材を充填してなる断熱箱体の内部を、前記内箱に接続された複数の断熱仕切体により上下に区画して冷蔵室、冷凍室および野菜室等を設け、各部屋の前部に、背面の周縁部に前記断熱箱体の前端部に吸着するマグネットガスケットを備えた開閉扉を設け、前記冷蔵室の開閉扉の背面にドアポケットを設けると共に、前記断熱箱体内の後部に冷却器を設け、同冷却器の前方に、冷気供給口を有する前面カバーを設けて前記冷却器を備えた冷気生成室を形成すると共に、前記冷気供給口を臨ませた所定位置に冷気循環用の送風ファンを設ける一方、前記前面カバーに形成された冷気吸込口から、少なくとも前記冷蔵室の冷気を前記冷気生成室に戻す冷気戻しダクトを設け、前記冷気生成室から前記冷気戻しダクトに到る冷気循環経路の所定位置に負イオン発生ユニットを設けてなり、
前記内箱は、静電防止手段により静電気の発生が防止されると共に、前記機械室から導出するアース端子に接続されるように構成されてなることを特徴とする冷蔵庫。
【請求項２】
前記断熱仕切体が、静電防止手段により静電気の発生を防止するように構成されてなることを特徴とする請求項１に記載の冷蔵庫。
【請求項３】
前記開閉扉の内面および前記ドアポケットが、静電防止手段により静電気の発生を防止するように構成されてなることを特徴とする請求項１に記載の冷蔵庫。
【請求項４】
前記開閉扉の内面および前記ドアポケットと、前記断熱箱体との間が導電性を有するように構成されてなることを特徴とする請求項１または請求項３に記載の冷蔵庫。
【請求項５】
前記冷蔵室内に設けられた載置棚および食品収容ケース、前記冷凍室内に設けられた食品収容ケース、前記野菜室内に設けられた野菜ケース等が、静電防止手段により静電気の発生を防止するように構成されてなることを特徴とする請求項１に記載の冷蔵庫。
【請求項６】
前記負イオン発生ユニットの一部が、静電防止手段により静電気の発生を防止するように構成されてなることを特徴とする請求項１に記載の冷蔵庫。
【請求項７】
前記送風ファン、前記前面カバーおよび前記冷気戻しダクトが、静電防止手段により静電気の発生を防止するように構成されてなることを特徴とする請求項１に記載の冷蔵庫。
【請求項８】
前記静電防止手段が、前記内箱、前記断熱仕切体、前記開閉扉の内面および前記ドアポケット、前記載置棚、前記食品収容ケース、前記野菜ケース、前記負イオン発生ユニットの一部、前記送風ファン、前記前面カバーおよび前記冷気戻しダクト等を成形する合成樹脂に混合される静電気防止剤からなることを特徴とする請求項１乃至請求項３または請求項５乃至請求項７の何れかに記載の冷蔵庫。
【請求項９】
前記静電防止手段が、合成樹脂により成形された前記内箱、前記断熱仕切体、前記開閉扉の内面および前記ドアポケット、前記載置棚、前記食品収容ケース、前記野菜ケース、前記負イオン発生ユニットの一部、前記送風ファン、前記前面カバーおよび前記冷気戻しダクト等に塗布される静電気防止剤からなることを特徴とする請求項１乃至請求項３または請求項５乃至請求項７の何れかに記載の冷蔵庫。
【請求項１０】
前記負イオン発生ユニットが、前記送風ファンに対向するように設けられてなることを特徴とする請求項１または請求項６に記載の冷蔵庫。
【発明の詳細な説明】
【０００１】
【発明の属する技術分野】
本発明は、冷蔵庫に係わり、より詳細には、庫内に収容された食品に負イオンを減少させることなく効率よく照射して、微生物が繁殖するのを効果的に防止できるようにした構造に関する。
【０００２】
【従来の技術】
従来の冷蔵庫には、例えば特開２００１−２７６２０５号公報により開示されているように、負イオン発生手段によって発生させた負イオンを所定空間内に供給し、内部に配置された対象物の近傍での負イオン濃度が所定濃度以上となるようにした負イオンシステムにおいて、所定空間内の表面を帯電し難い材料、導電性を有する材料、もしくは親水性を有する材料の何れかで構成するようにした事例があった。
【０００３】
これにより、冷蔵庫内での負イオン濃度の立ちあがり特性を向上させ、冷蔵庫内の負イオン濃度が所定濃度になるまでの時間を短縮し、微生物の繁殖防止を効果的に行なうことができる負イオンシステムを構成していた。
【０００４】
しかしながら、上記構成は、所定空間内の表面を帯電し難い材料、導電性を有する材料、もしくは親水性を有する材料の何れかで構成するのに加えて、例えば所定空間内の表面にアース端子を接続するなどして電流が流れやすいようにすることにより、静電気が発生しないようにしたり、帯電してしまったりしないようにして、前記負イオンが所定空間内の表面に吸着してしまわないようにする構成が開示されていなかった。
【０００５】
すなわち、上記公報においては、例えばアース端子を備えた家庭用の冷蔵庫が想定されていないことから、このアース端子に関する記載がどこにもなく、同アース端子を利用することによって、冷蔵庫内の負イオンを減少させないために表面を帯電し難くさせる技術は開示されていなかった。
【０００６】
【発明が解決しようとする課題】
本発明は、上記問題点に鑑み、庫内に収容された食品に負イオンを減少させることなく効率よく照射して、微生物が繁殖するのを効果的に防止できるようにした冷蔵庫を提供することを目的とする。
【０００７】
【課題を解決するための手段】
本発明は、上記課題を解決するため、背面下部に機械室を備えた外箱と、同外箱との間に所定の隙間を有して内設された内箱との間に断熱材を充填してなる断熱箱体の内部を、前記内箱に接続された複数の断熱仕切体により上下に区画して冷蔵室、冷凍室および野菜室等を設け、各部屋の前部に、背面の周縁部に前記断熱箱体の前端部に吸着するマグネットガスケットを備えた開閉扉を設け、前記冷蔵室の開閉扉の背面にドアポケットを設けると共に、前記断熱箱体内の後部に冷却器を設け、同冷却器の前方に、冷気供給口を有する前面カバーを設けて前記冷却器を備えた冷気生成室を形成すると共に、前記冷気供給口を臨ませた所定位置に冷気循環用の送風ファンを設ける一方、前記前面カバーに形成された冷気吸込口から、少なくとも前記冷蔵室の冷気を前記冷気生成室に戻す冷気戻しダクトを設け、前記冷気生成室から前記冷気戻しダクトに到る冷気循環経路の所定位置に負イオン発生ユニットを設けてなり、
前記内箱は、静電防止手段により静電気の発生が防止されると共に、前記機械室から導出するアース端子に接続されるように構成されている。
【０００８】
また、前記断熱仕切体が、静電防止手段により静電気の発生を防止するように構成されている。
【０００９】
また、前記開閉扉の内面および前記ドアポケットが、静電防止手段により静電気の発生を防止するように構成されている。
【００１０】
また、前記開閉扉の内面および前記ドアポケットと、前記断熱箱体との間が導電性を有するように構成されている。
【００１１】
また、前記冷蔵室内に設けられた載置棚および食品収容ケース、前記冷凍室内に設けられた食品収容ケース、前記野菜室内に設けられた野菜ケース等が、静電防止手段により静電気の発生を防止するように構成されている。
【００１２】
また、前記負イオン発生ユニットの一部が、静電防止手段により静電気の発生を防止するように構成されている。
【００１３】
また、前記送風ファン、前記前面カバーおよび前記冷気戻しダクトが、静電防止手段により静電気の発生を防止するように構成されている。
【００１４】
また、前記静電防止手段が、前記内箱、前記断熱仕切体、前記開閉扉の内面および前記ドアポケット、前記載置棚、前記食品収容ケース、前記野菜ケース、前記負イオン発生ユニットの一部、前記送風ファン、前記前面カバーおよび前記冷気戻しダクト等を成形する合成樹脂に混合される静電気防止剤からなる構成となっている。
【００１５】
また、前記静電防止手段が、合成樹脂により成形された前記内箱、前記断熱仕切体、前記開閉扉の内面および前記ドアポケット、前記載置棚、前記食品収容ケース、前記野菜ケース、前記負イオン発生ユニットの一部、前記送風ファン、前記前面カバーおよび前記冷気戻しダクト等に塗布される静電気防止剤からなる構成となっている。
【００１６】
更に、前記負イオン発生ユニットが、前記送風ファンに対向するように設けられてなる構成となっている。
【００１７】
【発明の実施の形態】
以下、本発明の実施の形態を図面に基づいた実施例として詳細に説明する。
図１は本発明による冷蔵庫の斜視図であり、図２は本発明による冷蔵庫の正面の断面図であり、図３は本発明による冷蔵庫の側面の断面図であり、図４は本発明による冷蔵庫の要部断面図であり、図５は図２で示すＡ部の詳細図であり、図６は本発明による冷蔵庫の要部説明図で、（Ａ）は図３で示すＢ部の詳細図、（Ｂ）は（Ａ）で示すＡ−Ａ断面図であり、図７は図３で示すＣ部の詳細図であり、図８は図３で示すＤ部の詳細図であり、図９は図３で示すＥ部の詳細図である。
【００１８】
本発明による冷蔵庫は、図で示すように、背面下部に機械室１を備えた外箱２と、内箱３との間に断熱材４を充填してなる断熱箱体５の内部を、前記内箱３に接続された複数の断熱仕切体６により上下に区画して冷蔵室７、野菜室８および冷凍室９を設けた構成になっている。
【００１９】
前記機械室１には圧縮機１ａが設けられており、また、同機械室１からはアース端子２４および電源コード２５が夫々導出された構成になっている。
【００２０】
前記冷蔵室７、前記冷凍室８および前記野菜室９の前部には、背面の周縁部に前記断熱箱体５の前端部に吸着するマグネットガスケット１０を備えた開閉扉１１が設けられている。
【００２１】
前記冷蔵室７の開閉扉１１は、一側上下部に設けられたヒンジ部ａにより回動自在に軸支されることによって、前記冷蔵室７の前部を開閉できるようになっている。
【００２２】
前記冷凍室８および前記野菜室９の開閉扉１１は、これら冷凍室８および野菜室９の前部を、図１で示すガイドレール部ｂにより前後動する食品ケース１３および野菜ケース１４といっしょに前後動して開閉できるようになっている。
【００２３】
前記冷蔵室７の両横壁には、図５で示すように、前記内箱３の一部を内側に膨出することにより載置棚１２の両側部を支持する支持部３ａが形成されている。
【００２４】
また、図３で示すように、前記冷蔵室７および前記冷凍室８には食品を収容するための前記食品収容ケース１３が収納され、前記野菜室１４には野菜を収容するための前記野菜ケース１４が収納されている。
【００２５】
前記冷蔵室７の開閉扉１１の背面をなすドアバック１１ａ　にはドアポケット１５が設けられており、各種のボトル類や小物の食品を貯蔵したり簡便に出し入れするのに好適な構成になっている。
【００２６】
また、前記冷蔵室７および前記冷凍室８の後部には冷却器１６が設けられ、同冷却器１６の前方には、冷気供給口１７を有する前面カバー１８を設けて前記冷却器１６を備えた冷気生成室１９を形成している。
【００２７】
前記冷気供給口１７を臨ませた所定位置には冷気循環用の送風ファン２０が設けられる一方、前記前面カバー１８に形成された冷気吸込口２１から、庫内の冷気を前記冷気生成室１９に戻すための冷気戻しダクト２２が設けられている。
【００２８】
前記冷気生成室１９から前記冷気戻しダクト２２に到る冷気循環経路の所定位置には、図３で示すように、負イオンを発生させるための負イオン発生ユニット２３が設けられており、発生させた負イオンを前記冷却器１６で生成された冷気といっしょに冷蔵庫内の食品に触れさせることによって、微生物の繁殖防止を効果的に行なえるようになっている。
【００２９】
そして、前記内箱３は、後述する静電防止手段によって静電気の発生が防止されると共に、接続部ｃによって前記アース端子２４に接続されるように構成されており、これによって、前記内箱３に静電気が生じてしまったり、帯電してしまうということがなくなって、前記負イオン発生ユニット２３で発生させた負イオンが前記内箱３に吸着されてしまうということがない構成となる。
【００３０】
なお、静電気の発生を防止するための前記静電防止手段は、前記内箱３を成形する合成樹脂に混合される静電気防止剤からなり、または、成形された前記内箱３に塗布される静電気防止剤からなる構成となっており、これらのように前記内箱３を構成する上で格別の困難性はない。
【００３１】
また、前記機械室１から導出されている前記アース端子２４は、前記接続部ｃを設けることにより、前記機械室１を構成する前記外箱２と前記内箱３との間に導電性をもたせることができて、同内箱３に帯電することがないように確実にアースされた構成になっている。
【００３２】
より詳細には、例えば図４で示すように、前記アース端子２４の基端部を、前記機械室１の上部に設けられた挿通孔ｄに挿通させると共に、前記接続部ｃにおける前記外箱２側および前記内箱３側から夫々固着することによって、これら外箱２と内箱３との間に導電性をもたせるようになっている。
【００３３】
このことは、例えば前記アース端子２４は、その基端部が板金製でなる前記外箱２の所定個所に固着されていて、同外箱２と、合成樹脂製の成形品としてなる前記内箱３とは接触しているであろうから、同内箱３はアースされていることになるといった見込みや示唆が伴うような構成ではなく、前記接続部ｃを設けることによって、前記内箱３が意図的にアースされた構成になっていることを明確にしている。
【００３４】
以上の構成により、次にその動作について説明する。
前記負イオン発生ユニット２３が、前記冷気生成室１９から前記冷気戻しダクト２２に到る冷気循環経路の所定位置に設けられたことにより、同負イオン発生ユニット２３で発生させた負イオンが、例えば図３で示すように、前記冷蔵室７および前記冷凍室８の冷気供給口１７から前記冷却器１６で生成された冷気といっしょに送出される。
【００３５】
前記冷蔵室７および前記冷凍室８に送出された負イオンは、同冷蔵室７内の食品類に照射あるいは接触してこれらの微生物の繁殖防止を効果的に行ないながら、冷気といっしょに前記冷気戻しダクト２２に吸引される。
【００３６】
その際、前記内箱３は、前記静電防止手段により負イオンを吸着してしまわないように形成されており、且つ、前記アース端子２４が接続されているので、同内箱３を電流が流れやすくなって電荷が溜まり難くなるので、前記負イオンが前記内箱３に吸着されることがなく、前記冷蔵室７および前記冷凍室８内の雰囲気の負イオン濃度が効果的に上昇することになる。
【００３７】
また、前記内箱３と同様に、前記断熱仕切体６、前記開閉扉１１の内面をなすドアバック１１ａ　および前記ドアポケット１５、前記載置棚１２、前記食品収容ケース１３、前記野菜ケース１４、前記負イオン発生ユニット２３の一部、前記送風ファン２０、前記前面カバー１８および前記冷気戻しダクト２２等も、前記静電防止手段により負イオンが吸着してしまわないように構成することによって、前記冷蔵室７および前記冷凍室８に送出された負イオンがこれらに吸着されることなく、更に効率よく食品類に照射あるいは接触できるようになって、微生物の繁殖防止を効果的に行なえることになる。
【００３８】
なお、前記冷蔵室７または前記冷凍室８に送出された前記負イオンおよび前記冷気は、前記野菜室９にも循環することによって上記と同様の作用効果を奏することになる。
【００３９】
また、図３で示すように、前記負イオン発生ユニット２３が、前記送風ファン２０に対向するように設けられることにより、前記内箱３、前記断熱仕切体６、前記開閉扉１１の内面をなすドアバック１１ａ　および前記ドアポケット１５、前記載置棚１２、前記食品収容ケース１３、前記野菜ケース１４などにイオン化させた空気を当てるようにして、これらを電気的に中和させることにより、負イオンを更に吸着させにくくできる。
【００４０】
次に、前記アース端子２４が接続された前記内箱３に対し、前記断熱仕切体６、前記開閉扉１１の内面をなすドアバック１１ａ　および前記ドアポケット１５、前記載置棚１２、前記食品収容ケース１３および前記野菜ケース１４などがどのように接触しているかについて開示し、これらが、前記内箱３を介して正確にアースされていることについて説明する。
【００４１】
前記載置棚１２は、図２のＡ部および図５で示すように、その両側部が前記内箱３の一部を内側に膨出した支持部３ａによって支持されることによって正確に接触するようになっている。
【００４２】
また、図３のＢ部で示す前記ドアバック１１ａ　およびビールガード１５ａ　を備えた前記ドアポケット１５は、図６（Ａ）および図６（Ｂ）で示すように、前記内箱３に正確に接触している。
【００４３】
また、図３のＣ部で示す前記断熱仕切体６は、図７で示すように、前記内箱３に正確に接触している。
【００４４】
また、図３のＤ部で示す前記外箱２は、前記接続部ｃを介して前記内箱３に確実に接続されるのに加えて、図８で示すように、前記断熱材４を充填した状態で前記内箱３に接触すると共に、放熱管２６を内設して該個所に結露が生じないようにしている。
【００４５】
また、図１および図３のＥ部で示す前記開閉扉１１に備えたマグネットガスケット１０は、図９で示すように、前記ドアバック１１ａ　と前記断熱仕切体６（および前記外箱２）との間を接続するようになっており、同マグネットガスケット１０全体またはその一部に導電性をもたせた構成にすることにより、前記内箱３および前記アース端子２４に電気的に接続された状態になる。
【００４６】
なお、前記開閉扉１１は、前記断熱箱体５に対して前記ヒンジ部ａおよび前記ガイドレール部ｂを介装して接触しているので、これらを介して前記内箱３と、前記ドアバック１１ａ　および前記ドアポケット１５との間に導電性をもたせるようにしてもよい。
【００４７】
【発明の効果】
以上説明したように、本発明によると、庫内に収容された食品に負イオンを減少させることなく効率よく照射して、微生物が繁殖するのを効果的に防止できるようにした冷蔵庫となる。
【図面の簡単な説明】
【図１】本発明による冷蔵庫の斜視図である。
【図２】本発明による冷蔵庫の正面の断面図である。
【図３】本発明による冷蔵庫の側面の断面図である。
【図４】本発明による冷蔵庫の要部断面図である。
【図５】本発明による冷蔵庫の図２で示すＡ部の詳細図である。
【図６】本発明による冷蔵庫の要部説明図で、（Ａ）は図３で示すＢ部の詳細図であり、（Ｂ）は（Ａ）で示すＡ−Ａ断面図である。
【図７】本発明による冷蔵庫の図３で示すＣ部の詳細図である。
【図８】本発明による冷蔵庫の図３で示すＤ部の詳細図である。
【図９】本発明による冷蔵庫の図３で示すＥ部の詳細図である。
【符号の説明】
１　機械室
１ａ　圧縮機
２　外箱
３　内箱
３ａ　支持部
４　断熱材
５　断熱箱体
６　断熱仕切体
７　冷蔵室
８　冷凍室
９　野菜室
１０　マグネットガスケット
１１　開閉扉
１１ａ　ドアバック
１２　載置棚
１３　食品収納ケース
１４　野菜ケース
１５　ドアポケット
１５ａ　ビールガード
１６　冷却器
１７　冷気供給口
１８　前面カバー
１９　冷気生成室
２０　送風ファン
２１　冷気吸入口
２２　冷気戻しダクト
２３　負イオン発生ユニット
２４　アース端子
２５　電源コード
ａ　ヒンジ部
ｂ　ガイドレール部
ｃ　接続部
ｄ　挿通孔
【図１】
2004069218.tif 000003
【図２】
2004069218.tif 000004
【図３】
2004069218.tif 000005
【図４】
2004069218.tif 000006
【図５】
2004069218.tif 000007
【図６】
2004069218.tif 000008
【図７】
2004069218.tif 000009
【図８】
2004069218.tif 000010
【図９】
2004069218.tif 000011